(57)【特許請求の範囲】
【請求項１】
原稿の画像面を読取りラインに沿って光照射しながら、前記読取りラインに対して原稿の移動方向が直交するように原稿と前記読取ラインとを相対移動させて、画像面からの反射光に基づいて原稿の画像を読み取る画像読取装置において、
前記読取りラインに沿って配列された複数の光源素子を有するとともに、いずれかの前記光源素子が点灯不良を起こした場合でも残りの前記光源素子による光照射が可能な光源と、
前記読取りラインに沿った複数の異なる位置に複数の読取り基準位置を設定する位置決め部材と、
複数の前記光源素子の点灯状態を点検するとともに、いずれかの光源素子の点灯不良を検知した場合にその光源素子を特定する特定手段と、
前記特定手段によって特定された前記光源素子を使用しないで読み取ることができる原稿サイズの有無を前記各読取り基準位置ごとに確認するとともに、「有」の場合に前記各読取り基準位置ごとに読取り可能な原稿サイズを確定する確定手段と、
前記特定手段及び前記確定手段の出力に基づいて、前記光源素子に点灯不良が発生した旨を表示部に表示し、また前記各読取り基準位置ごとの読取り可能な原稿サイズを前記表示部に表示する表示手段と、を備える、
ことを特徴とする画像読取装置。
【請求項２】
前記光源は、複数の前記光源素子が、前記ライン方向に沿って原稿の画像面をむら無く照射できる所定のピッチで整列されている、
ことを特徴とする請求項１に記載の画像読取装置。
【請求項３】
複数の前記読取り基準位置に載置された原稿の原稿サイズを検知するサイズ検知手段と、
前記サイズ検知手段によって検知された原稿サイズと、前記確定手段によって確定された複数の前記読取り基準位置における読取り可能な原稿サイズとを比較する比較手段と、
前記比較手段の比較結果に基づいて、原稿の読取り動作を制御する読取り制御手段と、を備える、
ことを特徴とする請求項２に記載の画像読取装置。
【請求項４】
前記読取り制御手段は、前記比較手段の比較結果として、複数の前記読取り基準位置のうちの所定の前記読取り基準位置に載置されて前記サイズ検知手段によって検知された原稿サイズが、前記確定手段によって確定された所定の前記読取り基準位置における読取り可能な原稿サイズ以下の場合に、原稿の読取り動作を許容する、
ことを特徴とする請求項３に記載の画像読取装置。
【請求項５】
前記読取り制御手段は、前記比較手段の比較結果として、複数の前記読取り基準位置のうちの所定の前記読取り基準位置に載置されて前記サイズ検知手段によって検知された原稿サイズが、前記確定手段によって確定された所定の前記読取り基準位置における読取り可能な原稿サイズを越える場合に、原稿の読取り動作を禁止する、
ことを特徴とする請求項３に記載の画像読取装置。
【請求項６】
前記表示手段は、前記比較手段の比較結果に基づいて、所定の前記読取り基準位置に載置された原稿の原稿サイズを、所定の前記読取り基準位置以外の前記読取り基準位置で読取り可能である場合には、その旨を前記表示部に表示する、
ことを特徴とする請求項５に記載の画像読取装置。
【請求項７】
前記位置決め部材は、
セットされる原稿よりも大きい、光透過性の原稿載置板と、
前記原稿載置板における、前記読取りラインの一方の端部に配設されて後端基準の第１読取り基準位置を構成し、セットされた原稿の後端を位置決めする後端規制部材と、
前記原稿載置板上に原稿を搬送する自動原稿送り装置の積載トレイに配設されて中央基準の第２読取り基準位置を構成するサイド規制部材であって、前記積載トレイ上の原稿をその通紙幅方向の中心が前記読取りラインの中央に対応するように位置決めする可動のサイド規制部材と、を有する、
ことを特徴とする請求項１乃至６のいずれか１項に記載の画像読取装置。
【請求項８】
前記原稿載置板における、前記読取りラインの他方の端部に配設されて前端基準の第３読取り基準位置を構成し、セットされた原稿の前端を位置決めする前端規制部材を有する、
ことを特徴とする請求項７に記載の画像読取装置。
【請求項９】
前記位置決め部材は、
前記第１読取り基準位置にセットされた原稿の左端と右端とのうちの一方を位置決めする側端規制部材を有し、
前記後端規制部材には、前記第１読取り基準位置で原稿をセットしたときの原稿の左端と右端とのうちの他方の位置を示す第１基準用サイズ表記が付され、
前記前端規制部材には、前記第３読取り基準位置で原稿をセットしたときの原稿の左端と右端とのうちの他方の位置を示す第３基準用サイズ表記が付され、
前記側端規制部材には、前記第１読取り基準位置で原稿をセットしたときの原稿の前端の位置を示す第１基準用サイズ表記と、前記第３読取り基準位置で原稿をセットしたときの原稿の後端の位置を示す第３基準用サイズ表記とが付されている、
ことを特徴とする請求項８に記載の画像読取装置。
【請求項１０】
前記後端規制部材及び前記側端規制部材に付された前記第１基準用サイズ表記と、前記前端規制部材及び前記側端規制部材に付された前記第３基準用サイズ表記とが、区別容易な異なる表記でなされている、
ことを特徴とする請求項９に記載の画像読取装置。
【請求項１１】
前記光源素子がＬＥＤ素子である、
ことを特徴とする請求項１乃至１０のいずれか１項に記載の画像読取装置。
【発明の詳細な説明】
【技術分野】
【０００１】
本発明は、複数の光源素子をライン状に整列させた光源によって原稿を照射し、その反射光に基づいて原稿の画像を読み取る画像読取装置に関する。
【背景技術】
【０００２】
複写機，プリンタ等の画像形成装置に使用される画像読取装置において、ライン状の光源を備えたものが知られている。このものは、読取幅に沿ったライン状の光源に対して、そのラインに直交する方向に原稿を相対移動させながら、光源で原稿を照射し、原稿からの反射光を、結像レンズを介してＣＣＤ等の撮像素子で受光し、これにより、原稿の画像を読み取るものである。このような画像読取装置の光源として、従来、棒状の蛍光灯やキセノンランプが使用されていた。
【０００３】
上述の蛍光灯やキセノンランプは、前者については蛍光管の内面全体に塗布された蛍光体が、また後者については外管の内面全体に被膜された赤外線反射膜が、いずれも面状に発光するため、照射むらが発生しにくいという利点がある。反面、これらの光源は、消費電力が大きい、発熱量が多い、寿命が短い等の欠点があった。
【０００４】
この欠点を解消する光源として、点光源としての光源素子（例えばＬＥＤ素子）を複数個、ライン状に整列させて光源ユニットを構成したものが提案されている（例えば、特許文献１参照）。ＬＥＤ素子は、一般に、消費電力が小さい、発熱量が少ない、寿命が長い等の利点がある。
【０００５】
【特許文献１】特開２００２−３２００７４号公報
【発明の開示】
【発明が解決しようとする課題】
【０００６】
ここで、上述の特許文献１で開示されている光源は、複数の光源素子のうちの１個でも点灯不良を起こした場合、例えば、点灯しない、照度が極めて低い等の場合、読み取った画像情報に基づいて複写機やプリンタによって紙等のシート上に画像を形成すると、その点灯不良の光源素子に対応する箇所に黒筋が発生してしまう。このため、この種の画像読取装置においては、点灯しなくなった光源素子が交換されるまで、画像読取りが禁止されるのが一般的である。つまり、いずれのサイズの原稿についてもその画像読取りができなくなるといった問題があった。
【０００７】
本発明の目的は、複数の読取り基準位置を設けることにより、複数の光源素子のいずれかに点灯不良が発生した場合でも、多くの原稿サイズの原稿読取りを可能とした画像読取装置を提供することにある。
【課題を解決するための手段】
【０００８】
請求項１に係る発明は、原稿の画像面を読取りラインに沿って光照射しながら、前記読取りラインに対して原稿の移動方向が直交するように原稿と前記読取ラインとを相対移動させて、画像面からの反射光に基づいて原稿の画像を読み取る画像読取装置に関する。この発明に係る画像読取装置は、前記読取りラインに沿って配列された複数の光源素子を有するとともに、いずれかの前記光源素子が点灯不良を起こした場合でも残りの前記光源素子による光照射が可能な光源と、前記読取りラインに沿った複数の異なる位置に複数の読取り基準位置を設定する位置決め部材と、複数の前記光源素子の点灯状態を点検するとともに、いずれかの光源素子の点灯不良を検知した場合にその光源素子を特定する特定手段と、前記特定手段によって特定された前記光源素子を使用しないで読み取ることができる原稿サイズの有無を前記各読取り基準位置ごとに確認するとともに、「有」の場合に前記各読取り基準位置ごとに読取り可能な原稿サイズを確定する確定手段と、前記特定手段及び前記確定手段の出力に基づいて、前記光源素子に点灯不良が発生した旨を表示部に表示し、また前記各読取り基準位置ごとの読取り可能な原稿サイズを前記表示部に表示する表示手段と、を備える、ことを特徴としている。
【０００９】
請求項２に係る発明は、請求項１に係る画像読取装置において、前記光源は、複数の前記光源素子が、前記ライン方向に沿って原稿の画像面をむら無く照射できる所定のピッチで整列されている、ことを特徴としている。
【００１０】
請求項３に係る発明は、請求項２に係る画像読取装置において、複数の前記読取り基準位置に載置された原稿の原稿サイズを検知するサイズ検知手段と、前記サイズ検知手段によって検知された原稿サイズと、前記確定手段によって確定された複数の前記読取り基準位置における読取り可能な原稿サイズとを比較する比較手段と、前記比較手段の比較結果に基づいて、原稿の読取り動作を制御する読取り制御手段と、を備える、ことを特徴としている。
【００１１】
請求項４に係る発明は、請求項３に係る画像読取装置において、前記読取り制御手段は、前記比較手段の比較結果として、複数の前記読取り基準位置のうちの所定の前記読取り基準位置に載置されて前記サイズ検知手段によって検知された原稿サイズが、前記確定手段によって確定された所定の前記読取り基準位置における読取り可能な原稿サイズ以下の場合に、原稿の読取り動作を許容する、ことを特徴としている。
【００１２】
請求項５に係る発明は、請求項３に係る画像読取装置において、前記読取り制御手段は、前記比較手段の比較結果として、複数の前記読取り基準位置のうちの所定の前記読取り基準位置に載置されて前記サイズ検知手段によって検知された原稿サイズが、前記確定手段によって確定された所定の前記読取り基準位置における読取り可能な原稿サイズを越える場合に、原稿の読取り動作を禁止する、ことを特徴としている。
【００１３】
請求項６に係る発明は、請求項５に係る画像読取装置において、前記表示手段は、前記比較手段の比較結果に基づいて、所定の前記読取り基準位置に載置された原稿の原稿サイズを、所定の前記読取り基準位置以外の前記読取り基準位置で読取り可能である場合には、その旨を前記表示部に表示する、ことを特徴としている。
【００１４】
請求項７に係る発明は、請求項１乃至６のいずれか１項に係る画像読取装置において、
前記位置決め部材は、セットされる原稿よりも大きい、光透過性の原稿載置板と、前記原稿載置板における、前記読取りラインの一方の端部に配設されて後端基準の第１読取り基準位置を構成し、セットされた原稿の後端を位置決めする後端規制部材と、前記原稿載置板上に原稿を搬送する自動原稿送り装置の積載トレイに配設されて中央基準の第２読取り基準位置を構成するサイド規制部材であって、前記積載トレイ上の原稿をその通紙幅方向の中心が前記読取りラインの中央に対応するように位置決めする可動のサイド規制部材と、を有する、ことを特徴としている。
【００１５】
請求項８に係る発明は、請求項７に係る画像読取装置において、前記原稿載置板における、前記読取りラインの他方の端部に配設されて前端基準の第３読取り基準位置を構成し、セットされた原稿の前端を位置決めする前端規制部材を有する、ことを特徴としている。
【００１６】
請求項９に係る発明は、請求項８に係る画像読取装置において、前記位置決め部材は、前記第１読取り基準位置にセットされた原稿の左端と右端とのうちの一方を位置決めする側端規制部材を有し、前記後端規制部材には、前記第１読取り基準位置で原稿をセットしたときの原稿の左端と右端とのうちの他方の位置を示す第１基準用サイズ表記が付され、前記前端規制部材には、前記第３読取り基準位置で原稿をセットしたときの原稿の左端と右端とのうちの他方の位置を示す第３基準用サイズ表記が付され、前記側端規制部材には、前記第１読取り基準位置で原稿をセットしたときの原稿の前端の位置を示す第１基準用サイズ表記と、前記第３読取り基準位置で原稿をセットしたときの原稿の後端の位置を示す第３基準用サイズ表記とが付されている、ことを特徴としている。
【００１７】
請求項１０に係る発明は、請求項９に係る画像読取装置において、前記後端規制部材及び前記側端規制部材に付された前記第１基準用サイズ表記と、前記前端規制部材及び前記側端規制部材に付された前記第３基準用サイズ表記とが、区別容易な異なる表記でなされている、ことを特徴としている。
【００１８】
請求項１１に係る発明は請求項１乃至１０のいずれか１項に係る画像読取装置において、前記光源素子がＬＥＤ素子である、ことを特徴としている。
【発明の効果】
【００１９】
請求項１の発明によれば、光源を構成する複数の光源素子のうちのいずれかが点灯不良を起こした場合、複数の読取り基準位置のそれぞれについて読取り可能な原稿サイズが表示されるので、ユーザは、その表示に従って画像の読取を続行することができる。例えば、光源素子のうちの１つが点灯不良を起こして、通常に使用する読取り基準位置では、画像の読取りができなくなったような場合でも、画像サイズによっては、表示に従って、ユーザが積極的に別の読取り基準位置に変更することにより、読取りが可能となる場合がある。ここで、複数の読取り基準位置とは、２箇所に限定されず、３箇所以上であってもよいものとする。
【００２０】
請求項２の発明によれば、点光源である光源素子を、ライン状に複数、所定のピッチで整列させることで、原稿の画像面をむら無く照射することができる。
【００２１】
請求項３の発明によれば、比較手段によって、読取り基準位置に載置された原稿の原稿サイズと、読取り可能な原稿の原稿サイズとを比較し、読取り制御手段は、その比較結果に基づいて、その後の原稿読取り動作を制御することができる。
【００２２】
請求項４の発明によれば、読取り制御手段は、所定の読取り基準位置に載置された原稿の原稿サイズが、その所定の読取り基準位置における読取り可能な原稿サイズ以下であれば、原稿読取りを許容する。つまり、複数の光源素子のうちのいずれかが点灯不良であっても、この光源素子を使用しないでも画像読取りを行うことが可能な場合は、画像の読取りを行う。
【００２３】
請求項５の発明によれば、読取り制御手段は、所定の読取り基準位置に載置された原稿の原稿サイズが、その所定の読取り基準位置における読取り可能な原稿サイズを越えるものであれば、原稿読取りを禁止する。つまり、複数の光源素子のうちのいずれかが点灯不良であった場合、読取りに供される原稿の読取りに、この点灯不良を起こした光源素子が必要である場合には、原稿の読取りを禁止して、無駄な動作を割愛する。
【００２４】
請求項６の発明によれば、所定の読取り基準位置に載置された原稿の原稿サイズが、その所定の読取り基準位置における読取り可能な原稿サイズを超えている場合であっても、別の読取り基準位置において、その原稿サイズが読取り可能であれば、その旨が表示部に表示されるので、ユーザは、表示内容に従って、別の読取り基準位置で画像の読取りを行うことができる。
【００２５】
請求項７の発明によれば、後端基準の第１読取り基準位置と、中央基準の第２読取り基準位置とを有しているので、例えば、複数の光源素子のうちのいずれかが点灯不良で、一方の読取り基準位置では読み取ることができない原稿サイズであっても、他方の読取り基準位置で読み取ることができる場合がある。
【００２６】
請求項８の発明によれば、請求項７の発明にさらに、前端基準の第３読取り基準位置を有しているので、例えば、複数の光源素子のうちのいずれかが点灯不良で、１箇所の読取り基準位置では読み取ることができない原稿サイズであっても、他の２箇所の読取り基準位置の一方又は双方で読み取ることができる場合がある。つまり、第１読取り基準位置と第２読取り基準位置との２箇所だめの場合と比較して、読取り可能な原稿サイズが増えることになる。
【００２７】
請求項９の発明によれば、同サイズの原稿に対して第１読取り基準位置と第３読取基準位置とがあることになるが、後端規制部材及び側端規制部材には、第１基準用サイズ表記が付され、また、前端規制部材及び側端規制部材には、第３基準用サイズ表記が付されているので、ユーザは、これらの表記に従って、原稿を原稿載置板上の所定の位置にセットすることができる。
【００２８】
請求項１０の発明によれば、第１基準用サイズ表記と第３基準用サイズ表記とが異なるので、両者の区別が容易であり、したがって、ユーザが原稿載置板上に原稿をセットする際に、より確実に所定の位置にセットすることができる。
【００２９】
請求項１１の発明によれば、光源素子がＬＥＤ素子であるので、消費電力が小さい、発熱量が少ない、寿命が長い等の利点がある。
【発明を実施するための最良の形態】
【００３０】
以下、本発明の最良の実施形態を図面に基づき詳述する。なお、以下の各図面においては、説明に不要な部材等は適宜、図示を省略している。
【００３１】
＜実施形態１＞
図１〜図９を参照して、本発明に係る画像読取装置１１について説明する。このうち、図１，図２は、画像読取装置１１の縦断面を正面側（前側）から見た図であり、さらに、図１は光学系を、また図２は駆動系を説明する図である。ただし、図２には、画像読取装置１１の制御ブロック図を付加している。図３，図４は、複数のＬＥＤ素子（光源素子）と、後端基準の各原稿サイズの原稿との位置関係を説明する上面図であり、さらに、図３は原稿サイズがＡ列，Ｂ列である場合、また図４は原稿サイズがインチサイズである場合を示している。図５は、複数のＬＥＤ素子と、中央基準の各原稿サイズの原稿との位置関係を説明する上面図である。図６は、自動原稿送り装置（ＡＤＦ）１１０を正面側の右斜め上方から見た斜視図である。図７は、自動原稿送り装置１１０の縦断面を正面側から見た図である。図８は、本発明の画像読取装置１１の動作を説明するフローチャートであり、図９は従来の画像読取装置の動作を説明するフローチャートである。以下の説明では、図１〜図４，図７中における左右を、画像読取装置１１の左右として、また図１，図２，図７中における上下を、画像読取装置１１の上下として、また図３，図４中における下、上をそれぞれ画像読取装置１１の前、後として説明する。さらに、図３，図４中における原稿の上下方向の長さを通紙幅（又は単に「幅」）、左右方向の長さを搬送方向長さ（又は単に「長さ」）とする。なお、以下の説明で、「原稿サイズ」といった場合には、特にことわらない限り、原稿の通紙幅方向のサイズ（幅）をいうものとする。
【００３２】
図２に示すように、画像読取装置１１は、照明装置１０と結像レンズ１３とＣＣＤ（固体撮像素子）１４とを備えている。さらに、照明装置１０は、光源１２と駆動装置１５とを備えている。これら光源１２、駆動装置１５、照明装置１０、結像レンズ１３、ＣＣＤ１４は、いずれも直方体状の筐体（フレーム）１６の内側に配設されている。筐体１６は、その上面に開口部１７を有していて、この開口部１７には、透明なコンタクトガラス（原稿載置板）１８が配設されている。
【００３３】
図３，図４に示すように、コンタクトガラス１８は、その上面に載置されるシート状の原稿のうちの、サイズが最大な原稿よりも大きい長方形状に形成されている。コンタクトガラス１８における、左端には前後方向に長い左指示板（側端規制部材）２０が、また後端及び前端には、それぞれ左右方向に長い後指示板（後端規制部材）２１、前指示板（前端規制部材）２２が配設されている。本実施形態では、後指示板２１の左端と左指示板２０の後端とが交差する位置を第１読取り基準位置Ｐ０１としている。コンタクトガラス１８上に載置される原稿は、その後端をこの第１読取り基準位置Ｐ０１に合わせ、その左端を左指示板２０の後端に合わせた所定の位置に位置決めされる。図３，図４においては、所定の位置に載置された状態の種々の原稿サイズの原稿を図示している。ここで、これらの図においては、各原稿サイズの原稿における、前端と右端とが交差する角部に、それぞれの原稿サイズ、及び向きを表示してある。例えば、図３中のＢ５，Ａ４は、それぞれの原稿における「長辺」を左指示板２０に合わせたときの原稿の位置を示す。以下、これを原稿の「横置き」という。また、Ｂ５Ｒ，Ａ４Ｒは、それぞれの原稿における「短辺」を左指示板２０に合わせたときの原稿の位置を示している。以下、この「Ｒ」が付されたものを原稿の「縦置き」といって、「横置き」とは区別している。なお、これに従うと、図３中の「Ｂ４」，「Ａ３」については、本来、「Ｂ４Ｒ」，「Ａ３Ｒ」とサイズ表記すべきものであるが、これらのサイズの原稿は、横置きすることができず、つまり、一通りの置き方しかできず、区別する必要がないので、簡略化してサイズ表記している。
【００３４】
上述の「Ｂ５」，「Ｂ５Ｒ」，「Ａ４」，「Ａ４Ｒ」，「Ｂ４」，「Ａ３」等のサイズ表記は，実際は、コンタクトガラス１８上ではなく、左指示板２０及び後指示板２１に付されている。例えば、図３中の左指示板２０における符号Ｐ１，Ｐ２，Ｐ３，Ｐ４で示す位置には、この順に「Ｂ５Ｒ」，「Ａ４Ｒ」，「Ｂ５，Ｂ４」，「Ａ４，Ａ３」というサイズ表記がなされている。一方、後指示板２１における符号Ｐ５，Ｐ６，Ｐ７，Ｐ８で示す位置には、この順に「Ｂ６Ｒ，Ｂ５」，「Ａ５Ｒ，Ａ４」，「Ｂ５Ｒ」，「Ａ４Ｒ」というサイズ表記がなされている。これにより、ユーザは、原稿をコンタクトガラス１８上の所定の位置に載置したときに、その原稿サイズ及び向きを知ることができる。したがって、例えば、原稿の画像読取り結果に基づいて複写機やプリンタによって紙等のシート上に画像を形成するような場合には、画像形成に供されるシートのサイズや向きを選択する際の参考とすることができる。なお、図４中では、原稿サイズを、インチサイズで表示している。図３中のコンタクトガラス１８における、「Ａ４，Ａ３」の通紙幅よりも少し広い幅が、画像の最大読取幅（最大照射幅）となり、また図４中のコンタクトガラス１８における、「１１×１７」の搬送長さよりも少し長い範囲が、画像の最大読取長さ（最大照射長さ）となる。後述する光源１２は、最大読取幅と最大読取長さとに囲まれた最大読取領域全体を照射することができるようになっている。
【００３５】
図２に示すように、コンタクトガラス１８の上方には、筐体１６によって開閉自在に支持された自動原稿送り装置１１０が配設されている。自動原稿送り装置１１０の下面には、コンタクトガラス１８とほぼ同サイズのビニル製の白色シート６０が取り付けられている。自動原稿送り装置１１０は、図２に示す閉鎖状態において、この白色シート６０によって原稿をコンタクトガラス１８上に押圧している。なお、白色シート６０は、光源１２から光が照射された際の反射光の光量が、原稿による反射光の光量よりも多くなるように構成されている。後述するサイズ検知手段６８（図２参照）は、このことを利用して、原稿サイズを検知するようにしている。自動原稿送り装置１１０の下面における白色シート６０の少し左方には、前後方向に長いシェーディング板６１が取り付けられている。このシェーディング板６１は、上述の左指示板２０の左に隣接するように配設された前後方向に長い原稿搬送用ガラス６２に対応する位置に配設されている。このシェーディング板６１は、後述するシェーディング補正に使用するものである。なお、自動原稿送り装置１１０については後に詳述する。
【００３６】
図１〜図４に示すように、コンタクトガラス１８の左端側の下方には、照明用光学移動枠ユニット２３が配設されている。照明用光学移動枠ユニット２３は、上述の最大読取幅よりも前後方向の長さが長い移動枠２４を有している。この移動枠２４には、光源１２が取り付けられた光源用メイン基板（メイン基板）２５と、凹面鏡２６と、第１ミラー２７が搭載されている。このうち光源用メイン基板２５は、図３，図４に示すように、前後方向の長さが、最大読取幅よりも長くなるように形成されていて、その上面には、光源１２及び導光レンズ２９が取り付けられている。本実施形態では、光源１２は、点光源であるＬＥＤ素子Ｌ１〜Ｌ２２を複数（図３，図４では２２個）、前後方向にライン状に整列させて構成している。ここで、ライン状とは、１本の直線上に整列された場合に限らず、例えば千鳥状に整列して、実質的に直線状である場合も含めるものとする。これらＬＥＤ素子Ｌ１〜Ｌ２２は、ライン方向（前後方向）に沿って原稿の画像面をむら無く照射できる所定のピッチ（本実施形態では１５ｍｍ）で整列されている。図３，図４において、最後端のＬＥＤ素子Ｌ１の中心から、最前端のＬＥＤ素子Ｌ２２の中心までの距離が、３１５ｍｍ（＝１５ｍｍ×２１）に設定されていて、これらＬＥＤ素子Ｌ１とＬＥＤ素子Ｌ２２との間に、図３に示す例では、通紙幅が最大のＡ４サイズの原稿の長辺（＝２９７ｍｍ）、またはＡ３サイズの原稿の短辺（＝２９７ｍｍ）が入るように、また図４に示す例では、長辺又は短辺の長さが１１インチ（≒２７９ｍｍ）の原稿の長辺又は短辺が入るように設定されている。複数のＬＥＤ素子Ｌ１〜Ｌ２２によって構成された光源１２は、図１に示すように、コンタクトガラス１８の上面に設定されている読取りラインＬを右斜め下方から照射するようになっている。これら複数のＬＥＤ素子Ｌ１〜Ｌ２２は、光源用メイン基板２５の回路に対して並列接続されている。したがって、これら複数のＬＥＤ素子Ｌ１〜Ｌ２２のうちの少なくとも１個に点灯不良があった場合であっても、この点灯不良のＬＥＤ素子以外のＬＥＤ素子によって原稿の画像面に対して光照射することができるようになっている。
【００３７】
図１に示すように、凹面鏡２６は、読取りラインＬから下ろした垂線に対して、上述の光源１２とほぼ線対称の位置に配置されている。上述のように、光源１２は、コンタクトガラス１８上の原稿を右斜め下方から照射しているため、原稿の左端に影が形成されて、この影が前後方向の直線上の画像として読み込まれがちである。凹面鏡２６は、光源１２からの光を反射して読取りラインＬに導いて、この影を除去するためのものである。照明用光学移動ユニット２３における、読取りラインＬの直下に位置する部分には、第１ミラー２７が配設されている。第１ミラー２７は、左斜め上の４５度を向けた状態で取り付けられている。以上のように、照明用光学移動枠ユニット２３は、移動枠２４に光源１２、光源用メイン基板２５、凹面鏡２６、第１ミラー２７を搭載した状態で、左右方向に敷設したガイド部材（不図示）に沿って左右方向に移動できる。つまり、ライン状（線状）の光源１２に対して、直交する方向に移動することができるようになっている。この照明用光学移動枠ユニット２３は、右方に移動しながら読取りラインＬに向けて光源１２から光を照射し、原稿の画像面からの反射光を次に説明する第２ミラー２８に導くものである。
【００３８】
図１，図２に示すように、コンタクトガラス１８の左端側の下方には、上述の照明用光学移動枠ユニット２３の左方に、反射用光学移動枠ユニット３０が配設されている。反射用光学移動枠ユニット３０は、上述の最大読取幅よりも前後方向の長さが長い移動枠３１を有している。この移動枠３１には、右斜め下４５度を向けた状態で第２ミラー２８が、また右斜め上４５度を向けた姿勢で第３ミラー３２が搭載されている。さらに、この移動枠３１は、その前端と後端とにおいて、可動プーリ３３，３３を回動自在に支持している。以上のように、反射用光学移動枠ユニット３０は、第２ミラー２８、第３ミラー３２、可動プーリ３３，３３を搭載した状態で、左右方向に敷設されたガイド部材（不図示）に沿って左右方向に移動できるようになっている。この反射用光学移動枠ユニット３０は、右方に移動しながら、上述の照明用光学移動枠ユニット２３の第１ミラー２７からの光を第２ミラー２８、第３ミラー３２で反射して後述する結像レンズ１３に導くものである。
【００３９】
図２に示すように、筐体１６の左端近傍には前端と後端とに固定左プーリ３４，３４が、また筐体１６の右端近傍には前端と後端とに固定右プーリ３５，３５がそれぞれ回動自在に配設されている。また、図２中の固定右プーリ３５，３５の下方には、正逆回転可能なモータ３６が配設されている。さらに、モータ３６の左方には、駆動軸３７と一体の駆動プーリ３８が配設されていて、モータ３６の出力軸４０と駆動プーリ３８との間には、駆動ベルト４１が張設されている。駆動軸３７の前端と後端とには、ワイヤドラム４２，４２が固定されており、これらワイヤドラム４２，４２には、それぞれ光学ワイヤ４３，４３が巻き掛けられている。これら光学ワイヤ４３，４３の一方の端部４４，４４は、筐体１６の左側壁４５の内面に固定されている。光学ワイヤ４３，４３は、ここから右方に延びて、反射用光学移動枠ユニット３０の可動プーリ３３，３３の右半部に掛け渡されて左方に折り返し、固定左プーリ３４，３４の左半部に掛け渡された後、右方に折り返して固定右プーリ３５，３５に向かって延びる。さらに、固定右プーリ３５，３５の右半部に掛け渡されて左方に折り返して延び、途中で照明用光学移動枠ユニット２３に固定された後、さらに左方に延びて、可動プーリ３３，３３の左半部に掛け渡されて右方に折り返し、レンズ取付台４６上に突設されたフック４７に係止される。このような光学ワイヤ４３，４３の引き回しに基づき、モータ３６が図２中の反時計回りに回転すると、駆動ベルト４１、駆動プーリ３８、駆動軸３７を介して、ワイヤドラム４２，４２が同じく反時計回りに回転する。これに伴い、光学ワイヤ４３，４３に引かれて、照明用光学移動枠ユニット２３及び反射用光学移動枠ユニット３０が右方に移動する。この際、反射用光学移動枠ユニット３０は、その可動プーリ３３，３３がいわゆる動滑車として作用するため、移動距離が照明用光学移動枠ユニット２３の移動距離の半分となる。これにより、照明用光学移動枠ユニット２３及び反射用光学移動枠ユニット３０の移動にかかわらず、コンタクトガラス１８から結像レンズ１３に至る光路長が一定に保持されて、次に説明する結像レンズ１３を通過した光がＣＣＤ１４上で像を結ぶようになっている。なお、本実施形態では、上述のように光源１２を移動させるための構成全体が駆動装置に相当する。
【００４０】
図２に示すように、結像レンズ１３は、上述のレンズ取付台４６に固定されたレンズ取付板４８上に固定されている。光源１２から照射された光は、原稿の画像面で反射されて、同図に示す光路Ｋ（図１参照）をたどる。すなわち、画像面からの反射光は、第１ミラー２７、第２ミラー２８、第３ミラー３２で反射されて結像レンズ１３に入射される。入射された光は、次に説明するＣＣＤ１４上で結像される。
【００４１】
ＣＣＤ１４は、その左端面に固定されて上端部５０が左方に折曲されたＣＣＤ取付板５１を介して、上述のレンズ取付台４６に固定する「コ」字形のＣＣＤ調整板５２に取り付けられている。ＣＣＤ調整板５２の前端部と後端部には、内径に雌ねじが螺刻されたボス５３，５３が固定されていて、これらのボス５３，５３には、ＣＣＤ取付板５１の上端部５０を貫通したピン５４，５４が螺合されている。さらに、ＣＣＤ取付板５１とＣＣＤ調整板５２との間には、圧縮ばね５５，５５が介装されていて、ＣＣＤ取付板５１を上方に付勢している。この状態で、ピン５４，５４を時計回りあるいは反時計回りに回すことで、ＣＣＤ取付板５１を介してＣＣＤ１４の高さ位置を微調整することができる。この微調整をＣＣＤ１４の前端部及び後端部で行うことで、ＣＣＤ１４の上下方向の位置調整を行うことができるようになっている。
【００４２】
図６，図７を参照して、自動原稿送り装置１１０について説明する。ここで、図６，図７中の矢印Ａ−Ｂ方向を左右方向（原稿給送方向）、矢印Ａ側を左側（下流側）、矢印Ｂ方向を右側（上流側）とする。また、図６中の矢印Ｃ−Ｄ方向を前後方向（通紙幅方向）、矢印Ｃ側を前側（手前側）、矢印Ｄ側を後側（奥側）とする。
【００４３】
図６，図７に示すように、自動原稿送り装置１１０は、画像が付された原稿Ｐを送り出す原稿給送部１１１と、この原稿給送部１１１によって給送された原稿Ｐを搬送する原稿搬送部１１２と、この原稿搬送部１１２によって搬送される原稿Ｐの画像を読み取る画像読取部１１３と、画像読取り後の原稿Ｐが排出される排出トレイ１１４とを備えている。
【００４４】
このうち、原稿給送部１１１は、ほぼ板状に形成された積載トレイ１２１と、この積載トレイ１２１に載置された原稿Ｐを給送する給送ローラ（給送部材）１２２とを有している。積載トレイ１２１の上面には、複数枚の原稿Ｐが画像面（読取り対象となる画像が付された面）を上方に設けた積層状態で所定の位置にセット（載置）される。ここで所定の位置とは、通紙幅方向については、後述するサイド規制板１４８，１４９に規制される位置であり、原稿給送方向の位置については、原稿Ｐの先端を突き当て部材（不図示）に突き当てたときの位置をいう。なお、この通紙幅方向の位置が第２読取り基準位置Ｐ０２に相当し、また、サイド規制板１４８，１４９がサイド規制部材に相当する。積載トレイ１２１上にセットされた複数の原稿Ｐは、最上位の原稿Ｐ（最も上に位置する原稿Ｐ）から順次に所定の給送位置に配置され、給送部材としての給送ローラ１２２の矢印Ｅ方向の回転によって給送位置から下流側に給送されていく。なお、積載トレイ１２１については後に詳述する。
【００４５】
原稿搬送部１１２は、上述の給送ローラ１２２のすぐ下流側に配設された搬送ベルト１２３とリタードローラ１２４とを備えている。搬送ベルト１２３は、駆動ローラ１２５と従動ローラ１２６とに掛け渡されており、駆動ローラ１２５によって矢印Ｆ方向（原稿給送方向）に回転される。これに対し、リタードローラ１２４は、矢印Ｇ方向（原稿戻し方向）に回転される。上述の原稿給送部１１１から給送ローラ１２２によって原稿Ｐが１枚だけ給送された場合には、この原稿Ｐは、搬送ベルト１２３によってさらに下流側に搬送される。これに対し、複数枚の原稿Ｐが重なるようにして重送されてしまった場合には、そのうちの最上位の原稿（１枚目の原稿）Ｐのみが搬送ベルト１２３によって下流側に搬送されるとともに、次以降の原稿（２枚目以降の原稿）Ｐは、リタードローラ１２４によって搬送が阻止されて停止される。下流側に搬送された１枚目の原稿Ｐは、その先端を、停止中のレジストローラ対１２７のニップに衝突させることで斜行が矯正されるとともに、その後のレジストローラ対１２７の回転によってさらに下流側に搬送される。下流側に搬送された原稿Ｐは、大径の共通ローラ１２８と、小径の搬送ローラ１３０，１３１，１３２とによって、画像読取部１１３の画像読取位置Ｒに搬送され、さらに画像読取位置Ｒから搬送ローラ１３３、搬送ローラ対１３４によって搬送され、排出ローラ対１３５によって、排出トレイ１１４上に排出される。
【００４６】
画像読取部１１３では、上述の原稿搬送部１１２から搬送されてきた原稿Ｐの画像を読み取る。画像読取部１１３は、上述のように、光源１２（図１〜図４参照）から画像読取位置Ｒに向けて光を照射し、原稿Ｐからの反射光を、上述の第１ミラー２７、第２ミラー２８，第３ミラー３２、結像レンズ１３を介してＣＣＤ１４に入射させることで、原稿Ｐの表面側の画像を読み取るものである。なお、上述の搬送ローラ１３３に対向する位置には、コンタクトイメージセンサ１３８が配設されていて、このコンタクトイメージセンサ１３８によって、原稿Ｐの裏面側の画像も読み取ることができるようになっている。読み取られた画像は、画像情報として、複写機，プリンタ，ファクシミリ等の画像形成装置（不図示）に送られる。そして、画像形成装置が複写機，プリンタである場合には、この画像情報に基づいて紙等の記録材（記録媒体）上に粉体のトナーによって画像が形成され、一方、画像形成装置がファクシミリである場合には、その画像情報が送信される。
【００４７】
排出トレイ１１４は、上述の積載トレイ１２１の下方に配設されている。画像読取り後の原稿Ｐは、上述の排出ローラ対１３５によって、画像面を下に向けた状態で排出トレイ１１４上に排出されて積載される。図６に示すように、排出トレイ１１４上には、リブ１３６や凹部１３７が設けてある。このうち、リブ１３６は、排出トレイ１１４上に排出される原稿Ｐの摩擦抵抗を低減して、排出トレイ１１４上での原稿Ｐの整合性を高めるとともに、下流側を高く形成することで、原稿Ｐが排出トレイ１１４から下流側に飛び出すことを防止するものである。また、凹部１３７は、排出トレイ１１４上の原稿Ｐの下面側に手を挿入しやすくして、原稿Ｐの取り出しを容易にするためのものである。
【００４８】
上述構成の自動原稿送り装置１１０は、原稿給送部１１１の積載トレイ１２１上の所定の位置にセットされた複数枚の原稿Ｐを最上位のものから順次、給送位置から給送ローラ１２２によって下流側に給送し、給送された原稿Ｐを原稿搬送部１１２によって搬送しながら、画像読取部１１３の画像読取位置Ｒにおいて原稿Ｐ上の画像を読み取り、画像読取り後の原稿Ｐを排出トレイ１１４上に排出するものである。以上で、自動原稿送り装置１１０の概略の説明を終了する。
【００４９】
図６，図７に示すように、自動原稿送り装置１１０は、積載トレイ１２１の奥側に、強度部材となる後側板１４３を備えている。後側板１４３は、左右方向に長いほぼ長方形状の部材であり、積載トレイ１２１の奥側に、立設するように配設されていて、背面側から合成樹脂製の背面カバー１４０によって覆われている。
【００５０】
積載トレイ１２１は、ほぼ板状に形成されていて、下流側の端部１４５が給送装置本体１４２によって支持されていて、上流側の端部１４６が自由端となっている。積載トレイ１２１は、下流側に、原稿Ｐの先端側（左端側、下流端側）を持ち上げるリフト板１４７が配設されている。リフト板１４７は、図７中の軸１４７ａを基準に、ほぼ上下方向に揺動可能となっている。リフト板１４７の前側及び後側には、原稿Ｐの通紙幅方向の両端部をそれぞれ規制するサイド規制板１４８，１４９が配設されていて、２本のガイド溝１５０，１５１に案内されて前後方向に移動するようになっている。２枚のサイド規制板１４８，１４９は、例えばラック＆ピニオン機構（不図示）によって連動関係が設定されていて、一方を内側に移動させると他方も内側に移動し、逆に一方を外側に移動させると他方も外側に移動するようになっている。すなわち、積載トレイ１２１上に原稿を載置して、この原稿の前端及び後端にそれぞれサイド規制板１４８，１４９を押し当てると、その原稿Ｐは、通紙幅方向の原稿サイズにかかわらず、通紙幅方向の中心が一致するようになっている。そして、この中心は、図３中の光源１２の前後方向（読取りラインＬに沿った方向）の中央、さらに詳しくはＬＥＤ素子Ｌ１１とＬＥＤ素子Ｌ１２との間に一致するようになっている。このように、積載トレイ１２１上に載置された原稿Ｐは、可動のサイド規制部材としてのサイド規制板１４８，１４９が前端、後端に押し当てられることで、中央基準で位置決めされる。
【００５１】
リフト板１４７の下方には、サイド規制板１４８，１４９の位置を検知することで、積載トレイ２１上の所定の位置に載置された原稿Ｐの通紙幅方向（前後方向）の原稿サイズを検知する幅検知センサ（不図示）が配設されている。下流側のガイド溝１５０のすぐ下流側における前後方向のほぼ中央には、長方形状の分離パッド１５２が貼着されている。この分離パッド５２は、図７に示す給送ローラ１２２に対応する位置に配置されていて、積載トレイ１２１上の原稿Ｐが残り少なくなった際に、これらの原稿Ｐ、特に最終原稿（最下位の原稿Ｐ）の重送を防止する。積載トレイ１２１は、その一部が補助トレイ１５３となっている。補助トレイ１５３は、積載トレイ２１の上流側でかつ手前側に配置された長方形状の部材であり、左右方向に延びる軸１５４を基準として、ほぼ上下方向に揺動可能となっている。補助トレイ１５３は、付勢部材（不図示）によって付勢されて、通常は、図６に示すホームポジションに配置されている。この補助トレイ１５３は、付勢部材の付勢力に抗して手前側を上方に持ち上げることにより、積載トレイ１２１の下方に位置する排出トレイ１１４上に排出された原稿Ｐの取出しを容易にするものである。
【００５２】
以上説明したように、画像読取装置１１は、読取りラインＬの一方の端部（後端）を原稿Ｐの読取り基準とする第１読取り基準位置Ｐ０１と、読取りラインＬの長手方向の中央を原稿Ｐの読取り基準とする第２読取り基準位置Ｐ０２とを有している。そして、第１読取り基準位置Ｐ０１に載置された原稿Ｐは、原稿Ｐを固定した状態で光源１２を移動させる、いわゆる固定読みを行う。一方、第２読取り基準位置Ｐ０２にセットされた原稿Ｐは、逆に、光源１２を固定した状態で原稿Ｐを搬送する、いわゆる流し読みを行う。このように、本実施形態では、読取りラインＬに沿った位置が異なる２箇所に読取り基準位置（第１読取り基準位置Ｐ０１及び第２読取り基準位置Ｐ０２）を有している。そして、これらはユーザによって適宜に使い分けることが可能となっている。
【００５３】
図２に示すように、画像読取装置１１には、その筐体１６の前側（画像読取装置１１の操作時にユーザが位置する側）に、操作ユニット６３が設けてある。この操作ユニット６３には、複数のテンキー，文字入力キー，選択キー等を有する外部入力部（不図示）と、タッチパネル機構を備えた表示部としての液晶表示パネル（不図示）が配設されている。この液晶表示パネルには、画像読取りに関する種々の設定や、ユーザに対するメッセージが表示されるようになっている。後述するように、ＬＥＤ素子Ｌ１〜Ｌ２２に点灯不良が発生したことや、これに伴い、読取り可能な読取り基準位置や原稿サイズが制限されること等についての表示も、この液晶表示パネルに表示されるようになっている。
【００５４】
画像読取装置１１の筐体１６内には、制御用のＣＰＵ（コンピュータ）６４が内蔵されている。このＣＰＵ６４は、所定の制御や演算を行うマイクロプロセッサと、所定のデータを記憶することができるメモリとを備えており、メモリに格納されたアプリケーションプログラムを起動し、オペレーティングシステムに従って画像読取装置１１の各部、例えば、光源用メイン基板２５、ＣＣＤ１４、モータ３６、表示部に必須の各プロセスを実行するとともに、後述のフローチャートに示すような作動制御を実行するようになっている。
【００５５】
上述のＣＰＵ６４には、特定手段６５、確定手段６６、表示手段６７、サイズ検知手段６８、比較手段７０、読取り制御手段７１が設けられている。なお、以下の説明では説明を簡略化すべく、点灯不良のＬＥＤ素子が１個の場合について説明するが、２個以上の場合も同様の考え方で対応することができる。
【００５６】
このうち特定手段６５は、複数のＬＥＤ素子Ｌ１〜Ｌ２２の点灯状態を点検するとともに、少なくとも１個のＬＥＤ素子の点灯不良を検知した場合にそのＬＥＤ素子を特定するものである。ここで点灯不良とは、点灯しない、あるいは点灯した場合であっても他のＬＥＤ素子とともに原稿を照射した場合に原稿をむら無く照射するには光量が不足するような場合も含めるものとする。特定手段６５は、画像読取装置１１において、一般的に行われるＡＧＣ（Ａｕｔｏｍａｔｉｃ  Ｇａｉｎ  Ｃｏｎｔｒｏｌ）動作やシェーディング補正動作を利用して、ＬＥＤ素子の不良を検知する。
【００５７】
ここで、ＡＧＣ動作とは、画像読取装置１１の電源ＯＮ時に、光源１２を、図２中のシェーディング板６１に対応する位置に移動させて点灯し、また消灯して、それぞれのＣＣＤ１４の出力を検知する。そして、点灯時の出力と消灯時の出力との差を例えば、２５６分割し、各分割レベルに応じて画像の読取り濃度を設定するものである。したがって、複数のＬＥＤ素子Ｌ１〜Ｌ２２のうちのいずれかが点灯不良の場合、例えば点灯しない場合には、光源１２全体を点灯させた際に、ＣＣＤ１４におけるそのＬＥＤ素子に対応する部分の出力が、全体の点灯時と消灯時とでほぼ同じになる。これにより、点灯不良のＬＥＤ素子を特定することができる。
【００５８】
一方、シェーディング補正動作とは、上述のシェーディング板６１の位置で、光源１２を点灯し、このときのＣＣＤ１４の通紙幅方向の出力のバラつきを補正するものである。したがって、ＣＣＤ１４における、点灯不良のＬＥＤ素子に対応する部分の出力は、他の部分の出力と比較して、極端に落ち込む。これにより、点灯不良のＬＥＤ素子を特定することができる。
【００５９】
本実施形態では、後述するように、画像読取装置１１の電源ＯＮ時に、ＡＧＣ動作及びシェーディング補正動作を行い、スタンバイ状態から画像読取りを開始するときには、シェーディング補正動作のみを行うようにしている。
【００６０】
上述の確定手段６６は、本実施形態では、ＬＥＤ素子Ｌ１〜Ｌ２２のうちに点灯不良があった場合には、その点灯不良のＬＥＤ素子を確定することができる。図２に示す確定手段６６は、上述の特定手段６５によって特定されたＬＥＤ素子、つまり点灯不良のＬＥＤ素子を使用しないで読み取ることができる原稿サイズの有無を読取り基準位置ごとに、つまり本実施形態においては、第１読取り基準位置Ｐ０１と第２読取り基準位置Ｐ０２について確認するとともに、「有」の場合のその読取り基準位置と原稿サイズとを確定するものである。
【００６１】
図３，図５に示すように、に示すように、本実施形態では、光源１２によって原稿の画像面を照射する際に、その原稿サイズに対応して以下のＬＥＤ素子が使用される。使用されるＬＥＤ素子のグループは、原稿サイズが同じであっても読取り基準位置が異なると、別のものとなる。図３には、後端基準の第１読取り基準位置Ｐ０１、すなわち読取りラインＬの後端側の後指示板２１によって位置決めされる各原稿サイズの原稿とＬＥＤ素子Ｌ１〜Ｌ２２との位置関係を示す。また、図５には、中央基準の第２読取り基準位置Ｐ０２、すなわち上述の積載トレイ１２１上の可動のサイド規制板１４８，１４９によって位置決めされる各原稿サイズの原稿とＬＥＤ素子Ｌ１〜Ｌ２２との位置関係を示す。なお、後者の第２読取り基準位置Ｐ０２は、積載トレイ１２１上で設定される位置である。図５は、画像を読み取られるべく、積載トレイ１２１から自動原稿送り装置１１０によって搬送されて読取りラインＬ（光源１２）を通過する際のＬＥＤ素子Ｌ１〜Ｌ２２と、各原稿サイズの原稿の位置関係を便宜的に説明する図である。
【００６２】
図３に示すように、第１読取り基準位置Ｐ０１が使用される場合には、各原稿サイズに対して以下の（１ａ）〜（７ａ）に示すグループのＬＥＤ素子が使用される。なお、以下では「ＬＥＤ素子」という語句を適宜省略する。
【００６３】
（１ａ）Ａ６Ｒ：Ｌ１〜Ｌ９、
（２ａ）Ｂ６Ｒ：Ｌ１〜Ｌ１１、
（３ａ）Ａ５Ｒ：Ｌ１〜Ｌ１２、
（４ａ）Ｂ５Ｒ：Ｌ１〜Ｌ１４、
（５ａ）Ａ４Ｒ：Ｌ１〜Ｌ１６、
（６ａ）Ｂ５，Ｂ４：Ｌ１〜Ｌ１９、
（７ａ）Ａ４，Ａ３：Ｌ１〜Ｌ２２。
【００６４】
したがって、したがって第１読取り基準位置Ｐ０１が使用される場合に、ＬＥＤ素子Ｌ１〜Ｌ９のいずれかが点灯不良の場合は、（１ａ）〜（７ａ）のいずれの原稿サイズの原稿も読み取ることができない。点灯不良がＬ１０又はＬＥＤ素子Ｌ１２の場合は、（１ａ）のＡ６Ｒのみが読取り可能で、残りの（２ａ）〜（７ａ）の原稿サイズは読取り不能である。点灯不良がＬＥＤ素子Ｌ１３以降である場合も同様である。以下に、一部重複するが、点灯不良のＬＥＤ素子と、そのときの読取り可能な原稿サイズとの対応関係をまとめる。なお、読取り可能な原稿サイズ以上の原稿サイズの原稿は読み取ることができないものとする。
【００６５】
（１ｂ）Ｌ１〜Ｌ９の１個が点灯不良    ：読取り可能な原稿サイズは無し、
（２ｂ）Ｌ１０又はＬ１１が点灯不良    ：Ａ６Ｒが読取り可能、
（３ｂ）Ｌ１２が点灯不良              ：Ａ６Ｒ，Ｂ６Ｒが読取り可能、
（４ｂ）Ｌ１３又はＬ１４が点灯不良    ：Ａ６Ｒ，Ｂ６Ｒ，Ａ５Ｒが読取り可能、
（５ｂ）Ｌ１５又はＬ１６が点灯不良    ：Ａ６Ｒ，Ｂ６Ｒ，Ａ５Ｒ，Ｂ５Ｒが読取り可能、
（６ｂ）Ｌ１７〜Ｌ１９の１個が点灯不良：Ａ６Ｒ，Ｂ６Ｒ，Ａ５Ｒ，Ｂ５Ｒ，Ａ４Ｒが読取り可能
（７ｂ）Ｌ２０〜Ｌ２２の１個が点灯不良：Ａ６Ｒ，Ｂ６Ｒ，Ａ５Ｒ，Ｂ５Ｒ，Ａ４Ｒ，Ｂ５，Ｂ４が読取り可能。
【００６６】
図５に示すように、第２読取り基準位置Ｐ０２が使用される場合には、各原稿サイズに対して以下の（１ｃ）〜（７ｃ）に示すグループのＬＥＤ素子が使用される。なお、以下では「ＬＥＤ素子」という語句を適宜省略する。
【００６７】
（１ｃ）Ａ６Ｒ：Ｌ７〜Ｌ１６、
（２ｃ）Ｂ６Ｒ：Ｌ７〜Ｌ１６、
（３ｃ）Ａ５Ｒ：Ｌ６〜Ｌ１７、
（４ｃ）Ｂ５Ｒ：Ｌ５〜Ｌ１８、
（５ｃ）Ａ４Ｒ：Ｌ４〜Ｌ１９、
（６ｃ）Ｂ５，Ｂ４：Ｌ２〜Ｌ２１、
（７ｃ）Ａ４，Ａ３：Ｌ１〜Ｌ２２。
【００６８】
したがって第２読取り基準位置Ｐ０２が使用される場合に、ＬＥＤ素子Ｌ７〜Ｌ１９のいずれかが点灯不良の場合は、（１ｃ）〜（７ｃ）のいずれの原稿サイズの原稿も読み取ることができない。点灯不良がＬ６又はＬＥＤ素子Ｌ１７の場合は、（１ｃ），（２ｃ）のＡ６Ｒ，Ｂ６Ｒの読取り可能で、残りの（３ｃ）〜（７ｃ）の原稿サイズは読取り不能である。以下に、一部重複するが、点灯不良のＬＥＤ素子と、そのときの読取り可能な原稿サイズとの対応関係をまとめる。
【００６９】
（１ｄ）Ｌ７〜Ｌ１６の１個が点灯不良：読取り可能な原稿サイズは無し、
（２ｄ）Ｌ６又はＬ１７が点灯不良    ：Ａ６Ｒ，Ｂ５Ｒが読取り可能、
（３ｄ）Ｌ５又はＬ１８が点灯不良    ：Ａ６Ｒ，Ｂ６Ｒ，Ａ５Ｒが読取り可能、
（４ｄ）Ｌ４又はＬ１９が点灯不良    ：Ａ６Ｒ，Ｂ６Ｒ，Ａ５Ｒ，Ｂ５Ｒが読取り可能、
（５ｄ）Ｌ２，Ｌ３，Ｌ２０，Ｌ２１の１個が点灯不良
：Ａ６Ｒ，Ｂ６Ｒ，Ａ５Ｒ，Ｂ５Ｒ，Ａ４Ｒが読取り可能、
（６ｄ）Ｌ１又はＬ２２が点灯不良    ：Ａ６Ｒ，Ｂ６Ｒ，Ａ５Ｒ，Ｂ５Ｒ，Ａ４Ｒ，Ｂ５，Ｂ４が読取り可能。
【００７０】
以上のように、本実施形態では、原稿の画像を読み取るに際し、第１読取り基準位置Ｐ０１と第２読取り基準位置Ｐ０２との２箇所を有しているので、一方の読取り基準位置では読み取れない原稿サイズであっても、他方の読取り基準位置で読み取れる場合もある。例えば、ＬＥＤ素子Ｌ１〜Ｌ２２のうちのＬＥＤ素子Ｌ１７が点灯不良を起こしたと仮定すると、第２読取り基準位置Ｐ０２を使用した場合、つまり自動原稿送り装置１１０を使用した場合、Ａ５Ｒ以下の原稿サイズ、すなわちＡ６Ｒ，Ｂ６Ｒ，Ａ５Ｒの３種類の原稿サイズしか読み取ることができない。これに対して、第１読取り基準位置Ｐ０１を使用した場合、つまり原稿をその後端を後指示板２１に当ててコンタクトガラス１８上に載置した場合、図３から明らかなように、上述の３種類の原稿サイズに加え、さらにＢ５Ｒ，Ａ４Ｒの２種類の原稿サイズを読み取ることが可能となる。逆に、例えば、ＬＥＤ素子Ｌ３が点灯不良を起こしたと仮定すると、第１読取り基準位置Ｐ０１を使用した場合では、読取り可能な原稿サイズは無いが、第２読取り基準位置Ｐ０２を使用した場合には、Ａ４Ｒ以下の原稿サイズは読み取ることができ、読取りできないのは、Ｂ５，Ｂ４，Ａ４，Ａ３となる。
【００７１】
このように、ＬＥＤ素子Ｌ１〜Ｌ２２のいずれかが点灯不良を起こした場合、その点灯不良を起こしたＬＥＤ素子に応じて、第１読取り基準位置Ｐ０１と第２読取り基準位置Ｐ０２とを適宜に使い分けることにより、読取り可能な原稿サイズを種類を増やすことができる。これらの動作の流れは、後に図８，図９のフローチャートを参照して説明する。
【００７２】
図２に示すＣＰＵ６４には、例えば、上述の（１ｂ）〜（７ｂ），（１ｄ）〜（７ｄ）に示すような対応関係がテーブルとして格納されていて、確定手段６６は、上述の特定手段６５によって特定されたＬＥＤ素子、つまり点灯不良のＬＥＤ素子から、テーブルに基づいて各読取り基準位置ごとに（第１読取り基準位置Ｐ０１及び第２読取り基準位置Ｐ０２について）、読取り可能な原稿サイズを確定する。
【００７３】
図２に示す表示手段６７は、上述の確定手段によって確定された、各読取り基準位置ごとの読取り可能な原稿サイズを液晶表示パネル上に表示させるものである。読取り可能な原稿サイズの表示と同時に、ＬＥＤ素子に点灯不良が発生したことやサービスマンコールを促すような表示を行うことも可能である。
【００７４】
サイズ検知手段６８は、第１読取り基準位置Ｐ０１及び第２読取り基準位置Ｐ０２に載置された原稿の原稿サイズを検知するものである。第１読取り基準位置Ｐ０１に載置された原稿の原稿サイズの検知は、次のようにして行う。自動原稿送り装置１１０を解放してコンタクトガラス１８上の第１読取り基準位置Ｐ０１に原稿を載置し、その後、自動原稿送り装置１１０を閉鎖すると、光源１２によって原稿の左端部近傍が照射される。このときの反射光を結像レンズ１３等を介してＣＣＤ１４に入力する。原稿からの反射光と白色シート６０からの反射光との光量の差に基づいて、原稿サイズを検知することができる。一方、第２読取り基準位置Ｐ０２に載置された原稿の原稿サイズについては、上述のように、積載トレイ１２１上のサイド規制板１４８，１４９の位置を幅検知センサで検知することで求めることができる。
【００７５】
比較手段７０は、上述のサイズ検知手段６８によって検知された原稿サイズと、前述の確定手段６６によって確定された各読取り基準位置ごとの読取り可能な原稿サイズとを比較して、その大小を決定するものである。
【００７６】
読取り制御手段７１は、比較手段７０の比較結果に基づいて、その後の原稿読取り動作を制御するものである。例えば、上述の比較手段７０の比較の結果、サイズ検知手段６８によって検知された原稿サイズが、確定手段６６によって確定されたその読取り基準位置での読取り可能な原稿サイズ以下の場合に、原稿読取りを許容する。一方、サイズ検知手段６８によって検知された原稿サイズが、確定手段６６によって確定されたその読取り基準位置での読取り可能な原稿サイズを越える場合には原稿読取りを禁止するように制御する。つまり読取り動作を行わないようにする。
【００７７】
次に、図８のフローチャートを参照して、上述の画像読取装置１１において、光源１２を構成する複数（２２個）のＬＥＤ素子Ｌ１〜Ｌ２２のうちのいずれかに点灯不良が発生した場合の動作の流れについて説明する。なお、図９には、比較のため、従来の、点灯不良が発生した場合の動作の流れを示す。これらの図において、同様の内容のステップについては同じ符号を付してある。
【００７８】
図８，図２に示すように、画像読取装置１１は、電源がＯＮされると（ステップＳ１）、光源１２が点灯し（ステップＳ２）、上述のＡＧＣ動作が行われ（ステップＳ３）、さらにこれにつづいてシェーディング補正動作が行われる（ステップＳ４）。ここで、ステップＳ３におけるＡＧＣ動作によってＬＥＤ素子の不良が発見された場合であっても、ステップＳ４のシェーディング補正動作まで行うようにする。
【００７９】
これらＡＧＣ動作、シェーディング動作の少なくとも一方において、特定手段６５によって、点灯不良のＬＥＤ素子が発見されない場合（ステップＳ５の「Ｎｏ」）、画像読取装置１１は、読取り動作可能状態となる（ステップＳ６）。この状態において、自動原稿送り装置１１０が開放され、原稿がコンタクトガラス１８上の第１読取り基準位置Ｐ０１、又は積載トレイ１２１上の第２読取基準位置に載置（セット）されると（ステップＳ７）、図２のサイズ検知手段６８によって、セットされた原稿の原稿サイズが検知される（ステップＳ８）。その後、操作ユニット６３の読取り開始ボタン（不図示）がＯＮされると（ステップＳ９）、光源１２が点灯し（ステップＳ１０）、再び、シェーディング補正動作が行われる（ステップＳ１１）。なお、画像読取装置１１が複写機，プリンタ等の画像形成装置に接続されている場合には、ステップＳ９の読取り開始ＯＮがそのままプリントボタンＯＮとなる。上述のシェーディング補正動作により、再度、特定手段６５により、点灯不良のＬＥＤ素子の有無が確認される（ステップＳ１２）。再度のシェーディング補正動作によってもＬＥＤ素子の点灯不良が発見されない場合（ステップＳ１２の「Ｎｏ」）、読取りが開始され（ステップＳ１３）、光源１２による原稿の全長にわたっての走査が終了すると、読取りが終了する（ステップＳ１４）。
【００８０】
以上のステップＳ１〜Ｓ１４は、光源１２を構成する複数（２２個）のＬＥＤ素子Ｌ１〜Ｌ２２のいずれにも点灯不良がない場合の動作の流れを示しており、これは、図９に示す従来のステップＳ１〜Ｓ１４と同じである。
【００８１】
つづいて、複数のＬＥＤ素子のいずれかに点灯不良があった場合の動作の流れを説明する。なお、以下では、適宜、ＬＥＤ素子Ｌ１７が点灯不良である場合を例に説明する。
【００８２】
図９に示すように、従来は、電源ＯＮ時（ステップＳ１）に行う、ＡＧＣ動作（ステップＳ３）やシェーディング補正動作（ステップＳ４）の結果、点灯不良のＬＥＤ素子がある場合（ステップＳ５の「Ｙｅｓ」）、操作ユニット６３の液晶表示パネルに例えば、「光源が切れています。サービスマンを呼んで下さい。」等の表示がなされる（ステップＳ２１）。従来、光源１２が切れた場合には、それ以降の画像読取りができなくなるので、ユーザは、直ちに、サービスマンを呼ぶことになる（ステップＳ２２）。このような動作の流れは、読取り開始ボタンＯＮ（ステップＳ９）の後のシェーディング補正動作（ステップＳ１１）によって、点灯不良のＬＥＤ素子があった場合（ステップＳ１２の「Ｙｅｓ」）についても同様である。すなわち、操作ユニット６３の液晶表示パネルに例えば、「光源が切れています。サービスマンを呼んで下さい。」等の表示がなされ（ステップＳ２３）、ユーザは、サービスマンを呼ぶ（ステップＳ２４）。
【００８３】
これに対して、本実施形態では、図８のような流れに沿って動作が行われる。なお、ステップＳ１〜Ｓ１４については、すなわちＡＧＣ動作やシェーディング補正動作によって点灯不良のＬＥＤ素子が確認できない場合の流れについては、図９に示す従来のステップＳ１〜Ｓ１４と同様である。
【００８４】
図８，図２に示すように、ステップＳ５において、特定手段６５によっていずれかのＬＥＤ素子が点灯不良であることが検知された場合（ステップＳ５の「Ｙｅｓ」）、さらに、特定手段６５によって点灯不良のＬＥＤ素子が特定される（ステップＳ３１）。ここでは、例えば、図３に示す２２個のＬＥＤ素子のうちのＬＥＤ素子Ｌ１７が点灯不良を起こしたものとして説明する。確定手段６６により、上述の特定手段６５によって特定されたＬＥＤ素子Ｌ１７を使用しないで読み取ることができる原稿サイズの有無を原稿読取り基準位置ごとに、つまり第１読取り基準位置Ｐ０１と第２読取り基準位置Ｐ０２とについて確認し、「無」の場合には（ステップＳ３２の「Ｎｏ」）、点灯不良のＬＥＤ素子がある旨、及び読取り可能な原稿サイズが無い旨を液晶表示パネルに表示して（ステップＳ３３）、サービスマンコールを行う（Ｓ３４）。
【００８５】
一方、ステップＳ３２において、読取り可能サイズが「有」の場合（ステップＳ３２の「Ｙｅｓ」）、確定手段６６によってその読取り基準位置及び原稿サイズを確定して、液晶表示パネルに表示し（ステップＳ３５）、読取り動作可能状態となる（ステップＳ３６）。この例では、ＬＥＤ素子Ｌ１７を使用することなく読み取ることができる原稿サイズは、Ａ４Ｒ以下、すなわちＡ４Ｒ，Ｂ５Ｒ，Ａ５Ｒ，Ｂ６Ｒ，Ａ６Ｒとなる。そして、ＬＥＤ素子Ｌ１７が点灯不良を発生している旨、及び読取り可能な原稿サイズが上述のものである旨を液晶表示パネルに表示し（ステップＳ３５）、読取り可能状態となる（ステップＳ３６）。原稿が第１読取り基準位置Ｐ０１、又は第２読取り基準位置Ｐ０２にセットされると（ステップＳ３７）、サイズ検知手段６８によって原稿サイズが検知される（ステップＳ３８）。この検知結果と、原稿がセットされた読取り基準位置における読取り可能な原稿サイズと、が比較手段７０によって比較される（ステップＳ３９）。ステップＳ３９において、原稿がその読取り基準位置での読取り可能サイズである場合（ステップＳ３９の「Ｙｅｓ」）、ユーザは、読取り開始ボタンをＯＮする（ステップＳ９）。
【００８６】
一方、ステップＳ３９において、原稿がその読取り基準位置での読取り可能サイズでない場合には（ステップＳ３９の「Ｎｏ」）、他の読取り基準位置での読取り可能サイズか否かを判断する（ステップＳ４４）。この結果、読取り可能サイズでない場合（ステップＳ４４の「Ｎｏ」）には、その旨を液晶表示パネルに表示して（ステップＳ３３）、サービスマンコールを行う（ステップＳ３４）。ステップＳ４４において、他の読取り基準位置での読取り可能サイズである場合には（ステップＳ４４の「Ｙｅｓ」）、液晶表示パネルに、「原稿を他の読取り基準位置に移動して下さい。」等の表示を行う（ステップＳ４５）。ユーザは、表示内容に従って、原稿を他の読取り基準位置に移動させた後（ステップＳ４６）、読取り開始ボタンをＯＮする（ステップＳ９）。
【００８７】
これにより、光源１２が点灯されて（ステップＳ１０）、シェーディング補正動作が行われる（ステップＳ１１）。この結果、点灯不良のＬＥＤ素子が無い場合（ステップＳ１２の「Ｎｏ」）には、読取りが開始され（ステップＳ１３）、その後、読取りが終了する（ステップＳ１４）。
【００８８】
ステップＳ１２において、特定手段６５によっていずれかのＬＥＤ素子が点灯不良であることが検知された場合（ステップＳ１２の「Ｙｅｓ」）、さらに、特定手段６５によって点灯不良のＬＥＤ素子が特定される（ステップＳ４０）。ここでは、例えば、図３に示すＬＥＤ素子Ｌ１７が点灯不良を起こした場合には、確定手段６６により、上述の特定手段６５によって特定されたＬＥＤ素子Ｌ１７を使用しないで読み取ることができる原稿サイズの有無を読取り基準位置ごとに確認し、「無」の場合には（ステップＳ４１の「Ｎｏ」）、点灯不良のＬＥＤ素子がある旨、及び読取り可能な原稿サイズが無い旨を液晶表示パネルに表示して（ステップＳ３３）、サービスマンコールを行う（Ｓ３４）。
【００８９】
一方、ステップＳ４１において、第１読取り基準位置Ｐ０１又は第２読取り基準位置Ｐ０２に読取り可能サイズがある場合（Ｓ４１の「Ｙｅｓ」）には、液晶表示パネルにその旨を表示し（ステップＳ４２）、原稿がその読取り基準位置での読取り可能サイズか否かを判断する（ステップＳ４３）。読取り可能サイズの場合（ステップＳ４３の「Ｙｅｓ」）、読取りを開始して（ステップＳ１３）、その後、読取りを終了する（ステップＳ１４）。
【００９０】
ステップＳ４３において、原稿がその読取り基準位置での読取り可能サイズでない場合には（ステップＳ４３の「Ｎｏ」）、他の読取り基準位置での読取り可能サイズか否かを判断する（ステップＳ４７）。この結果、読取り可能サイズでない場合（ステップＳ４７の「Ｎｏ」）には、その旨を液晶表示パネルに表示して（ステップＳ３３）、サービスマンコールを行う（ステップＳ３４）。ステップＳ４７において、他の読取り基準位置での読取り可能サイズである場合には（ステップＳ４７の「Ｙｅｓ」）、液晶表示パネルに、「原稿を他の読取り基準位置に移動して下さい。」等の表示を行う（ステップＳ４８）。ユーザは、表示内容に従って、原稿を他の読取り基準位置に移動させた後（ステップＳ４９）、読取り開始ボタンをＯＮする（ステップＳ５０）。これにより、読取りが開始され（ステップＳ１３）、その後、読取りを終了する（ステップＳ１４）。
【００９１】
以上説明したように、本実施形態によると、読取り基準位置を複数（第１読取り基準位置Ｐ０１と第２読取り基準位置Ｐ０２）設けているので、一方の読取り基準位置では読取り不能な原稿サイズであっても、他方の読取り基準位置では読取りことができる場合もあるので、全体として、より多くの原稿サイズを読み取ることができるようになる。
【００９２】
＜実施形態２＞
図１０を参照して、本実施形態を説明する。図１０は、複数のＬＥＤ素子と、前端基準の各原稿サイズの原稿との位置関係を説明する上面図である。
【００９３】
本実施形態では、上述の実施形態１の第１読取り基準位置Ｐ０１と、第２読取り基準位置Ｐ０２とに加えて、さらに第３読取り基準位置Ｐ０３を設けている。
【００９４】
図１０に示すように、本実施形態では、前指示板２２の左端と左指示板２０の前端とが交差する位置を第３読取り基準位置Ｐ０３としている。コンタクトガラス１８上に載置される原稿は、その前端をこの第３読取り基準位置Ｐ０３に合わせ、その左端を左指示板２０の前端に合わせた所定の位置に位置決めされる。図１０においては、所定の位置に載置された状態の種々の原稿サイズの原稿を図示している。ここで、これらの図においては、各原稿サイズの原稿における、後端と右端とが交差する角部に、それぞれの原稿サイズ、及び向きを表示してある。
【００９５】
本実施形態では、上述の左指示板２０に、符号Ｐ１，Ｐ２，Ｐ３等の、第１読取り基準位置Ｐ０１を使用する際のサイズ表記に加え、さらに第３読取り位置Ｐ０３を使用する際の符号Ｐ１ａ，Ｐ２ａ，Ｐ３ａ等が付されている。この順に、「Ｂ５Ｒ」，「Ａ４Ｒ」，「Ｂ５，Ｂ４」に対応している。一方、前指示板２２における符号Ｐ５，Ｐ６，Ｐ７，Ｐ８で示す位置には、この順に「Ｂ６Ｒ，Ｂ５」，「Ａ５Ｒ，Ａ４」，「Ｂ５Ｒ」，「Ａ４Ｒ」というサイズ表記がなされている。
【００９６】
図１０に示すように、第３読取り基準位置Ｐ０３が使用される場合には、各原稿サイズに対して以下の（１ｅ）〜（７ｅ）に示すグループのＬＥＤ素子が使用される。
【００９７】
（１ｅ）Ａ６Ｒ：Ｌ１４〜Ｌ２２、
（２ｅ）Ｂ６Ｒ：Ｌ１２〜Ｌ２２、
（３ｅ）Ａ５Ｒ：Ｌ１１〜Ｌ２２、
（４ｅ）Ｂ５Ｒ：Ｌ９〜Ｌ２２、
（５ｅ）Ａ４Ｒ：Ｌ７〜Ｌ２２、
（６ｅ）Ｂ５，Ｂ４：Ｌ４〜Ｌ２２、
（７ｅ）Ａ４，Ａ３：Ｌ１〜Ｌ２２。
【００９８】
したがって、したがって第３読取り基準位置Ｐ０３が使用される場合に、ＬＥＤ素子Ｌ１４〜Ｌ２２のいずれかが点灯不良の場合は、（１ｅ）〜（７ｅ）のいずれの原稿サイズの原稿も読み取ることができない。点灯不良がＬ１２又はＬＥＤ素子Ｌ１４の場合は、（１ｅ）のＡ６Ｒのみが読取り可能で、残りの（２ｅ）〜（７ｅ）の原稿サイズは読取り不能である。以下に、一部重複するが、点灯不良のＬＥＤ素子と、そのときの読取り可能な原稿サイズとの対応関係をまとめる。
【００９９】
（１ｆ）Ｌ１４〜Ｌ２２の１個が点灯不良：読取り可能な原稿サイズは無し、
（２ｆ）Ｌ１２又はＬ１３が点灯不良：Ａ６Ｒが読取り可能、
（３ｆ）Ｌ１１が点灯不良          ：Ａ６Ｒ，Ｂ６Ｒが読取り可能、
（４ｆ）Ｌ９又はＬ１０が点灯不良  ：Ａ６Ｒ，Ｂ６Ｒ，Ａ５Ｒが読取り可能、
（５ｆ）Ｌ７又はＬ８が点灯不良    ：Ａ６Ｒ，Ｂ６Ｒ，Ａ５Ｒ，Ｂ５Ｒが読取り可能、
（６ｆ）Ｌ４〜Ｌ６の１個が点灯不良：Ａ６Ｒ，Ｂ６Ｒ，Ａ５Ｒ，Ｂ５Ｒ，Ａ４Ｒが読取り可能
（７ｆ）Ｌ１〜Ｌ３の１個が点灯不良：Ａ６Ｒ，Ｂ６Ｒ，Ａ５Ｒ，Ｂ５Ｒ，Ａ４Ｒ，Ｂ５，Ａ４が読取り可能。
【０１００】
以上説明したように、ＬＥＤ素子Ｌ１〜Ｌ２２のうちの１個が点灯不良となった場合、読取り基準位置が、第１読取り基準位置Ｐ０１であるか、第２読取り基準位置Ｐ０２であるか、第３読取り基準位置Ｐ０３であるかによって、読取り可能な原稿サイズが異なってくる。例えば、ＬＥＤ素子Ｌ８が点灯不良の場合、第１読取り基準位置Ｐ０１については、（１ｂ）に示すように、読取り可能な原稿サイズは無い。また、第２読取り基準位置Ｐ０２については、（１ｄ）に示すように、読取り可能な原稿サイズは無い。すなわち、読取り基準位置が、第１読取り基準位置Ｐ０１と第２読取り基準位置Ｐ０２との２箇所である上述の実施形態１では、読取り可能な原稿サイズは無いことになる。これに対して、第１読取り基準位置Ｐ０１と第２読取り基準位置Ｐ０２に加えて、さらに第３読取り基準位置Ｐ０３を有する本実施形態では、（５ｆ）に示すように、Ａ６Ｒ，Ｂ６Ｒ，Ａ５Ｒ，Ｂ５Ｒが読取り可能となる。
【０１０１】
このように、本実施形態では、実施形態１よりも、多くの種類の原稿サイズの原稿を読み取ることができるようになる。特に、第１読取り基準位置Ｐ０１と第３読取り基準位置Ｐ０３との関係についてみると、前者が後端基準であるのに対して前者が前端基準となっているので、ＬＥＤ素子Ｌ１〜Ｌ１２のうちのいずれか１個のＬＥＤ素子が点灯不良であったとしても、第１読取り基準位置Ｐ０１と第３読取り基準位置Ｐ０３のどちらか一方では、必ず、Ａ６Ｒ，Ａ５Ｒの原稿サイズは読み取ることができる。すなわち、本実施形態においては、点灯不良のＬＥＤ素子が１個である場合には、必ず読取り可能な原稿サイズが存在することになる。
【０１０２】
ところで、上述の３箇所の読取り基準位置、すなわち第１読取り基準位置Ｐ０１，第２読取り基準位置Ｐ０２，第３読取り基準位置Ｐ０３のうちの、次の２箇所、第１読取り基準位置Ｐ０１と第３読取り基準位置Ｐ０３とは、いずれもユーザがコンタクトガラス１８上に原稿を手動で載置するときの位置である。そして、同じサイズの原稿に対して、第１読取り基準位置Ｐ０１を使用する場合のサイズ表記（以下「第１基準用サイズ表記」という。）と第３読取り基準位置Ｐ０３を使用する場合のサイズ表記（以下「第３基準用サイズ表記」という。）との双方がなされることになり、ユーザが混同して、原稿のセット位置を間違えるおそれがある。
【０１０３】
そこで、第１基準用サイズ表記と第３基準用サイズ表記とを、区別容易な異なる表記とすることで、ユーザの混同を防止するようにした。以下、具体的に説明する。
【０１０４】
図１１に、従来のサイズ表記を示す。同図は、コンタクトガラス１８、左指示板２０、後指示板２１、前指示板２２等を上方から見た拡大図である。同図に示すように、従来は、第３読取り基準位置Ｐ０３を有していなかったので、左指示板２０と後指示板２１に、第１読取り基準位置Ｐ０１を使用する際の第１基準用サイズ表記がなされている。左指示板２０には、後端側から前端側にかけて、符号Ｐ１１〜Ｐ１７に対応する位置に、それぞれ次のような第１基準用サイズ表記がなされている。
【０１０５】
Ｐ１１：Ａ６Ｒ、Ｐ１２：Ｂ５Ｒ、Ｐ１３：Ａ５Ｒ、Ｐ１４：Ｂ５Ｒ、Ｐ１５：Ａ５，Ａ４Ｒ，Ｆｏｌｉｏ、Ｐ１６：Ｂ５，Ｂ４、Ｐ１７：Ａ４，Ａ３。
【０１０６】
一方、後指示板２１には、左端側から右端側にかけて、符号Ｐ１８〜Ｐ２５に対応する位置に、それぞれ次のような第１基準用サイズ表記がなされている。
【０１０７】
Ｐ１８：Ａ６Ｒ，Ａ５、Ｐ１９：Ｂ６Ｒ，Ｂ５、Ｐ２０：Ａ５Ｒ，Ａ４、Ｐ２１：Ｂ５Ｒ、Ｐ２２：Ａ４Ｒ、Ｐ２３：Ｆｏｌｉｏ、Ｐ２４：Ｂ４Ｒ、Ｐ２５：Ａ３。
【０１０８】
上述の左指示板２０及び後指示板２１に付された第１基準用サイズ表記は、いずれも、例えば通常の文字によって表記されている。
【０１０９】
図１２に、本実施形態のサイズ表記を示す。同図は、コンタクトガラス１８、左指示板２０、後指示板２１、前指示板２２等を上方から見た拡大図である。同図に示すように、本実施形態では、第３読取り基準位置Ｐ０３を有しているので、上述の図１１に示す従来の第１基準用サイズ表記に加えて、第３基準用サイズ表記が付加されている。すなわち、左指示板２０には、Ｐ１１〜Ｐ１７に示す第１基準用サイズ表記に加え、前端側から後端側にかけて、符号Ｐ３１〜Ｐ３７に対応する位置に、それぞれ次のような第３基準用サイズ表記がなされている。
【０１１０】
Ｐ１１：Ａ６Ｒ、Ｐ１２：Ｂ５Ｒ、Ｐ１３：Ａ５Ｒ、Ｐ１４：Ｂ５Ｒ、Ｐ１５：Ａ５，Ａ４Ｒ，Ｆｏｌｉｏ、Ｐ１６：Ｂ５，Ｂ４、Ｐ１７：Ａ４，Ａ３。
【０１１１】
一方、前指示板２２には、左端側から右端側にかけて、符号Ｐ３８〜Ｐ４５に対応する位置に、それぞれ次のような第３基準用サイズ表記がなされている。
【０１１２】
Ｐ３８：Ａ６Ｒ，Ａ５、Ｐ３９：Ｂ６Ｒ，Ｂ５、Ｐ４０：Ａ５Ｒ，Ａ４、Ｐ４１：Ｂ５Ｒ、Ｐ４２：Ａ４Ｒ、Ｐ４３：Ｆｏｌｉｏ、Ｐ４４：Ｂ４Ｒ、Ｐ４５：Ａ３。
【０１１３】
図１３に、図１２の一部拡大図を示す。同図に示すように、上述の左指示板２０及び前指示板２２に付された第３基準用サイズ表記は、いずれも、上述の第１基準用サイズ表記が通常の文字であったのに対して、白抜き文字によって表記されている。このように、第１基準用サイズ表記と第３基準用サイズ表記とでサイズ表記を区別することで、ユーザが必要に応じて、混乱することなく確実に第１読取り基準位置Ｐ０１と第３読取り基準位置Ｐ０３とを使い分けることができる。
【０１１４】
なお、上述では第１基準用サイズ表記と第３基準用サイズ表記との区別を、通常の文字と白抜きの文字とによって行っていたが、これに限定されるものではなく、例えば、色を変えて区別したり、フォント（文字）の形状を変えて区別したりすることもできる。
【０１１５】
以上の説明では、光源１２の一部を構成するＬＥＤ素子Ｌ１〜Ｌ２２の一部が点灯不良の場合の対処として、第３読取り基準位置Ｐ０３を使用する場合を例に説明したが、このように後端基準の第１読取り基準位置Ｐ０１の外に、前端基準の第３読取り基準位置Ｐ０３を設けることにより、例えば、後端に原稿をセットするのに支障のあるユーザ、例えば、車椅子の使用者や、身長が低いユーザが、通常の使用に際して積極的に前端基準の第３読取り基準位置Ｐ０３を使用することができるので、大変便宜である。
【０１１６】
なお、上述の説明では、光源が２２個のＬＥＤ素子Ｌ１〜Ｌ２２で構成されている場合を説明したが、ＬＥＤ素子の個数についてはこれに限定されるものではない。
【産業上の利用可能性】
【０１１７】
上述では、本発明を、複数のＬＥＤ素子をライン状に整列させた光源を原稿に対して相対移動させる方式の画像読取装置に適用する場合を例に説明したが、本発明は、これ以外に、複数のＬＥＤ素子を縦横の面状に整列させた光源を有する画像読取装置に対しても広く適用することができる。
【図面の簡単な説明】
【０１１８】
【図１】画像読取装置の縦断面を正面側（前側）から見た図であり、光学系を説明する図である。
【図２】画像読取装置の縦断面を正面側（前側）から見た図であり、駆動系及び制御系を説明する図である。
【図３】複数のＬＥＤ素子と、後端基準の各原稿サイズの原稿との位置関係を説明する上面図であり、原稿サイズがＡ列，Ｂ列である場合を説明する図である。
【図４】複数のＬＥＤ素子と、後端基準の各原稿サイズの原稿との位置関係を説明する上面図であり、原稿サイズがインチサイズである場合を説明する図である。
【図５】複数のＬＥＤ素子と、中央基準の各原稿サイズの原稿との位置関係を説明する上面図である。
【図６】自動原稿送り装置（ＡＤＦ）を正面側の右斜め上方から見た斜視図である。
【図７】自動原稿送り装置の縦断面を正面側から見た図である。
【図８】本発明における画像読取り動作の流れを説明するフローチャートである。
【図９】従来の画像読取り動作の流れを説明するフローチャートである。
【図１０】複数のＬＥＤ素子と、前端基準の各原稿サイズの原稿との位置関係を説明する上面図である。
【図１１】従来の第１読取り基準位置を基準としたサイズ表記を説明する上面図である。
【図１２】本発明の、第１読取り基準位置及び第２読取り基準を基準としたサイズ表記を説明する上面図である。
【図１３】図１２の一部拡大図である。
【符号の説明】
【０１１９】
１１……画像読取装置、１２……光源、１８……コンタクトガラス（原稿載置板）、２０……左指示板（側端規制部材）、２１……後指示板（後端規制部材）、２２……前指示板（前端規制部材）、６５……特定手段、６６……確定手段、６７……表示手段、６８……サイズ検知手段、７０……比較手段、７１……読取り制御手段、１１０……自動原稿送り装置、１２１……積載トレイ、１４８，１４９……サイド規制板（位置決め部材）、Ｌ……読取りライン、Ｌ１〜Ｌ２２……ＬＥＤ素子、Ｐ……原稿、Ｐ０１……第１読取り基準位置、Ｐ０２……第２読取り基準位置、Ｐ０３……第３読取り基準位置、
【図１】
0004596431.tif 000002
【図２】
0004596431.tif 000003
【図３】
0004596431.tif 000004
【図４】
0004596431.tif 000005
【図５】
0004596431.tif 000006
【図６】
0004596431.tif 000007
【図７】
0004596431.tif 000008
【図８】
0004596431.tif 000009
【図９】
0004596431.tif 000010
【図１０】
0004596431.tif 000011
【図１１】
0004596431.tif 000012
【図１２】
0004596431.tif 000013
【図１３】
0004596431.tif 000014